(57)【要約】【課題】安価に生体／生体エレメント／生体的エレメントを変化／変換／大量生産する。生体改善の基本のシステムと量産のシステムと方法。自己の見た目を改善するシステムと方法。コンタクトの色とリアルさを改善するシステムと方法。自己の健康を改善するシステムと方法。低コストで、卵を成長させるシステムと方法。セルを製造／成長／メインテインさせるシステムと方法について、生命体を所望の遺伝形態に変化させるシステムと方法。生命工場から所望の生化学物質（プロテイン、エンザイム）を作るシステムと方法生命体を所望のジノタイプＡｎｄ／ｏｒフィノタイプに進化させるシステムと方法。生体的なシステムを有する、エネルギー・システム【解決手段】マテリアルとかバイオ・システムをフルに活用。人工／バイオ・オペレーション／バイオ・インフォマティカル・アナリシスによる、ジノタイプＡｎｄ／ｏｒフィノタイプの全体／バートの変換／生体変換。【選択図】図１
2006343701.tif 000002
【特許請求の範囲】
【請求項１】
図面、要約書、明細書によって示唆されることを都庁とする、バイオロジカル・システム。
【請求項２】
請求項１において、図面、要約書、明細書によって示唆さることを特徴とする、プロセス発明。
【発明の詳細な説明】
【技術分野】
【０００１】コンタクト・レンズ、フード・サイエンス、医療、創薬、再生医療、人工進化学の分野。
【背景技術】
【０００２】コンタクトの製造。
【発明の開示】
【発明が解決しようとする課題】
【０００３】生体改善の基本のシステムと量産のシステムと方法。
自己の見た目を改善するシステムと方法。
コンタクトの色とリアルさを改善するシステムと方法。
自己の健康を改善するシステムと方法。
低コストで、卵を成長させるシステムと方法。
セルを製造／成長／メインテインさせるシステムと方法について、
生命体を所望の遺伝形態に変化させるシステムと方法。
生命工場から所望の生化学物質（プロテイン、エンザイム）を作るシステムと方法
生命体を所望のジノタイプＡｎｄ／ｏｒフィノタイプに進化させるシステムと方法。
生体的なシステムを有する、エネルギー・システム
【課題を解決するための手段】
【０００４】コンタクトの色とリアルさを改善するシステムと方法について、
１）  ホログラフィック・カラー・コンタクト・レンズを製造する。
２）  （タコ／カメレオンのような）色彩変化細胞／色彩変化マテリアルを有する細胞を目に埋め込む若しくは、目（アイリス）の遺伝子に遺伝子組み換えする。
３）  （３Ｄ・）ディスプレイつき、カラー・コンタクト・レンズ。脳からの脳波をキャッチして、変化しても良い。
自己の見た目を改善するシステムと方法について、
１）  イニシャルの姿と所望の姿とのギャップを、デルタ法によって、変化させる／カバー／変換する。この際、３次元・スキャンや３次元・マスクメイキング、３次元・デルタ・コスメティック・サージュリーを使用する。
２）  必要なら、遺伝的なデルタによって、ジーン・シークエンスから根本的に、変化／変換させる。
自己の健康を改善するシステムと方法について、
１）  ＥＳセル、幹細胞、成長細胞、ジーンセラピー、ジーンドーピングといったコンポーネントを利用した、再生医療によって、ダメージを受けた部分をリプレイス／変換／改善していく。
低コストで、卵を成長させるシステムと方法について、
１）複数の卵を確率的に最適に配列して、その中で、うまく成長するのをセンサーによって観察してコンピューター／特徴解析機によって選択して育てる。全体として、一様な製品・結果がでると、商品価値が上がることが多い。
生体改善の基本のシステムと大量生産のシステムと方法として、
１）ＥＳセル／ステムセルを遺伝的に最適に配列して、その中で、うまく成長するのをセンサーによって観察してコンピューター／特徴解析機によって選択して育てる。
所望のフィノタイプに近ければ、その商品価値は上がる。
セルを製造／成長／メインテインさせるシステムと方法について、
セルを製造／成長／メインテインさせるシステムと方法について、
１）  単数若しくは複数のユニタリー／セルに、セル若しくはバイオ・コンポーネントをイニシエイトしてセルを成長／メインテインする。
２）  単数若しくは複数のユニタリー／セルに、セル若しくはバイオ・コンポーネントをイニシエイトして、それ自身、若しくはその他のバイオ・コンポーネント、プロテイン、エンザイムを成長／メインテインする。
３）  フィードバックを利用したエコロジカルなほぼ、セルフ・メインテイニング・システム。
生命体を所望の遺伝形態に変化させるシステムと方法について、
１）  イニシャルの遺伝子と、所望の遺伝子の間の遺伝的な差／相違（デルタ）から、変化させるジーン・シークエンスを判定そして適宜に変化させる／変換する。
生命工場から所望の生化学物質（プロテイン、エンザイム、遺伝子）を作るシステムと方法について、
１）  たんぱく質や酵素やＡＴＰなどの製造をリボゾーム若しくはミトコンドリア若しくは生化学合成（製造装置）によって、プロテイン若しくは生化学（製造装置）を製作する。
２）  ＲＮＡとかｍ−ＲＮＡとかＤＮＡを使って、遺伝子の合成、複製、デザインをする。その際、ベースに、ダイヤモンド、ＤＬＣ、シリコン、シリカ、セラミックを使用しても良い。
生命体を所望のジノタイプＡｎｄ／ｏｒフィノタイプに進化／変化させる／変換するシステムと方法。
１）  生命体を人工進化させる。
２）  この際、数学的な解析による、機能性・スタティスティクスによる、目的物のデザインをしても良い。
生体的なシステムを有する、エネルギー・システム
１）  光合成、若しくは、ヒカリ触媒、若しくは、人工合成、若しくはコンビネーションを利用した発エネルギー・システム。
２）  光合成、若しくは、ヒカリ触媒、若しくは、人工合成、若しくはコンビネーションを利用した発エネルギー・システムと人工・コンポーネント・アセンブリ。
３）  炭水化物とか糖とかＡＤＰとかＡＴＰとかイオンとか分子・モーターとか分子・ロータリー・エンジンの人工合成、生体合成、製造。（ここで、人工合成は生体合成を適宜にオペレートしたものとしても良い。）
【発明の効果】
【０００５】  アプリカントにとって、より多くのオペレーターが手に入る。つまり、低コストで、いろいろ生命体に改善を与えることができる。
【発明の実施する最良の形態】
【０００６】ホログラフィック・コンタクト・レンズ（若しくは上述の形態）。そして、その使用による、よりリアルな生体的な目の表示をする。
【０００７】ＥＳセル、ステム・セルによる、再生医療の進化。バイオインフォマティクスによる、解析的判断と実際。フィジカルインフォマティクス、ケミカルインフォマティクス、バイオインフォマティクスといったインフォマティクスよりデザインされる適宜機能性を有する遺伝子を組み込んだＥＳセル／ステムセルを成長させる。そして、卵とか目とか心臓とか臓器の大量生産するのも良い。
【０００８】人工進化による、種の改善と所望の姿／形／遺伝子配列／目的体へのオペレーション。
【０００９】アーティフィシャル・ドーピングによる、個体の改善と所望の姿／形／遺伝子配列／目的体へのオペレーション。ジーン・セラピー、ジーン・ドーピング、ホメオティック遺伝子・オペレーション、ホメオティック遺伝子・ドーピング、プロテイン・オペレーション、プロテイン・ドーピング、エンザイム・オペレーション、エンザイム・ドーピング、キー・遺伝子・オペレーション、キー・遺伝子・ドーピング、マスター・キー・遺伝子・オペレーション、マスター・キー・遺伝子・ドーピング、マスター・エレメント・オペレーション、マスター・エレメント・ドーピング、変化細胞のオペレーション／ドーピング、色素・変化細胞のオペレーション／ドーピング、形質・変化細胞のオペレーション／ドーピング、テレマー／テレマラーゼといった、長寿関連エレメントのオペレーション／ドーピング。
【図面の簡単な説明】
【００１０】
【図１】  ビューティフル・アイの図
【図２】  色素・変化細胞による、ビューティフル・アイの図
【図３】  ホログラフィック・コンタクトによる、ビューティフル・アイの図
【図４】  コンタクト・レンズ／アイ・ボールの型、若しくは、ペトリ皿の図
【図５】  カラー・アイの成長／大量生産方法の図
【図６】  複数ユニタリーのインキュベーター／セルの図
【図７】  卵の大量生産の工程の図
【図８】  遺伝子の大量生産の図
【図９】  プロテイン、エンザイムの大量生産の図
【図１０】  エネルギー・システムの図
【図１１】  アーティフィシャル・ニューロン／アーティフィシャル・ブレイン／アーティフィシャル・クリーチャー／人工・生命体／バイオノイドの図
【図１２】  人／バイオノイド／人工・生命体の図
【図１３】  目的生命体への人工的な進化／変換のオペレーション。
【図１】
2006343701.tif 000003
【図２】
2006343701.tif 000004
【図３】
2006343701.tif 000005
【図４】
2006343701.tif 000006
【図５】
2006343701.tif 000007
【図６】
2006343701.tif 000008
【図７】
2006343701.tif 000009
【図８】
2006343701.tif 000010
【図９】
2006343701.tif 000011
【図１０】
2006343701.tif 000012
【図１１】
2006343701.tif 000013
【図１２】
2006343701.tif 000014
【図１３】
2006343701.tif 000015